【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  複数色の着色層が所定パターンにて配列形成され、
前記複数色の着色層のうちの一色の前記着色層と同じ材料で構成され、前記着色層上に積層された単層の遮光パターンにより構成された遮光領域を有することを特徴とするカラーフィルタ基板。
【請求項２】  複数色の着色層が所定パターンにて配列形成され、
前記着色層には、第１着色部と、該第１着色部と略同色で前記第１着色部よりも光学濃度の高い第２着色部とが形成され、
前記複数色の着色層のうちの一色の前記着色層の前記第２着色部と同じ材料で構成され、前記着色層上に積層された単層の遮光パターンにより形成された遮光領域を有する
ことを特徴とするカラーフィルタ基板。
【請求項３】  光反射部と光透過部とを有し、
前記着色層と平面的に重なるように配置され、且つ前記光反射部に設けられた光反射層を有し、
前記第２着色部は前記光透過部と平面的に重なるように構成されていることを特徴とする請求項２に記載のカラーフィルタ基板。
【請求項４】  複数色の着色層が所定パターンにて配列形成され、
光反射部と光透過部とを有し、
前記着色層と平面的に重なるように配置された、且つ前記光反射部に設けられた光反射層を有し、
前記複数色の着色層のうちの少なくとも一色の前記着色層は、前記光反射層と平面的に重なる領域の一部に形成されており、
前記複数色の着色層のうちの一色の前記着色層と同じ材料で構成され、前記着色層上に積層された単層の遮光パターンにより形成された遮光領域を有する
ことを特徴とするカラーフィルタ基板。
【請求項５】  前記遮光パターンは、前記複数色のうち最も光学濃度の高い色の前記着色層と同じ材料で構成されていることを特徴とする請求項１乃至６のいずれか一項に記載のカラーフィルタ基板。
【請求項６】  前記遮光パターンは、前記複数色のうち最も光学濃度の低い 
色以外の前記着色層と同じ材料で構成されていることを特徴とする請求項１乃至６のいずれか一項に記載のカラーフィルタ基板。
【請求項７】  前記遮光パターンは、前記複数色のうち最も光学濃度の高い色の前記着色層上には形成されていないことを特徴とする請求項１乃至６のいずれか一項に記載のカラーフィルタ基板。
【請求項８】  前記遮光パターンは、前記複数色のうち最も光学濃度の低い色の前記着色層上に限定して形成されていることを特徴とする請求項１乃至６のいずれか一項に記載のカラーフィルタ基板。
【請求項９】  電気光学層と、該電気光学層と平面的に重なる複数色の着色層を備えたカラーフィルタとを有し、
前記遮光領域は、前記着色層に対して前記複数色の着色層のうちの一色の前記着色層と同じ材料で構成された単層の遮光パターンにより形成された遮光領域を有することを特徴とする電気光学装置。
【請求項１０】  電気光学層と、該電気光学層と平面的に重なる複数色の着色層を備えたカラーフィルタとを有し、
前記着色層には、第１着色部と、該第１着色部と略同色で前記第１着色部よりも光学濃度の高い第２着色部とが形成され、
前記遮光領域は、前記複数色の着色層のうちの一色の前記着色層の前記第２着色部と同じ材料で構成され、前記着色層上に積層された単層の遮光パターンにより形成された遮光領域を有する
ことを特徴とする電気光学装置。
【請求項１１】  光反射部と光透過部とを有し、
前記着色層と平面的に重なるように配置され、且つ前記光反射部に設けられた光反射層を有し、前記第２着色部は前記光透過部と平面的に重なるように構成されていることを特徴とする請求項１０に記載の電気光学装置。
【請求項１２】  電気光学層と、該電気光学層と平面的に重なる複数色の着色層を備えたカラーフィルタとを有し、
光反射部と光透過部とを有し、
前記着色層と平面的に重なるように配置され、且つ前記光反射部に設けられた光反射層を有し、
前記複数色の着色層のうちの少なくとも一色の前記着色層は、前記光反射層と平面的に重なる領域の一部に形成されており、
前記複数色の着色層のうちの一色の前記着色層と同じ材料で構成され、前記着色層上に積層された単層の遮光パターンにより形成された遮光領域を有する
ことを特徴とする電気光学装置。
【請求項１３】  前記遮光パターンは、前記複数色のうち最も光学濃度の高い色の前記着色層と同じ材料で構成されていることを特徴とする請求項９乃至１２のいずれか一項に記載の電気光学装置。
【請求項１４】  前記遮光パターンは、前記複数色のうち最も光学濃度の低い色以外の前記着色層と同じ材料で構成されていることを特徴とする請求項９乃至１２のいずれか一項に記載の電気光学装置。
【請求項１５】  前記遮光パターンは、前記複数色のうち最も光学濃度の高い色の前記着色層上には形成されていないことを特徴とする請求項９乃至１４のいずれか一項に記載の電気光学装置。
【請求項１６】  前記遮光パターンは、前記複数色のうち最も光学濃度の低い色の前記着色層上に限定して形成されていることを特徴とする請求項９乃至１４のいずれか一項に記載の電気光学装置。
【請求項１７】  請求項９乃至１６に記載の前記電気光学装置と、前記電気光学装置を制御する制御手段とを有することを特徴とする電子機器。
【手続補正２】
【補正対象書類名】明細書
【補正対象項目名】００１６
【補正方法】変更
【補正の内容】
【００１６】
本発明において、光反射部と光透過部とを有し、前記着色層と平面的に重なるように配置され、且つ前記光反射部に設けられた光反射層を有し、前記第２着色部は前記光透過部と平面的に重なるように構成されていることが好ましい。光学濃度の高い第２着色部が開口部と平面的に重なるように構成されていることにより、光反射層によって反射される反射光に対しては第１着色部の光学作用の寄与があり、透過光に対しては第２着色部が光学的に機能するため、反射光と透過光とに対してそれぞれ独立に光学的に作用し得るカラーフィルタ基板を構成できる。
【手続補正３】
【補正対象書類名】明細書
【補正対象項目名】００１７
【補正方法】変更
【補正の内容】
【００１７】
次に、本発明のさらに別のカラーフィルタ基板は、複数色の着色層が所定パターンにて配列形成され、  光反射部と光透過部とを有し、前記着色層と平面的に重なるように配置された、且つ前記光反射部に設けられた光反射層を有し、前記複数色の着色層のうちの少なくとも一色の前記着色層は、前記光反射層と平面的に重なる領域の一部に形成されており、前記複数色の着色層のうちの一色の前記着色層と同じ材料で構成され、前記着色層上に積層された単層の遮光パターンにより形成された遮光領域を有することを特徴とする。
【手続補正４】
【補正対象書類名】明細書
【補正対象項目名】００２７
【補正方法】変更
【補正の内容】
【００２７】
本発明において、光反射部と光透過部とを有し、前記着色層と平面的に重なるように配置され、且つ前記光反射部に設けられた光反射層を有し、前記第２着色部は前記光透過部と平面的に重なるように構成されていることが好ましい。光学濃度の高い第２着色部が開口部と平面的に重なるように構成されていることにより、光反射層によって反射される反射光に対しては第１着色部の光学作用の寄与があり、透過光に対しては第２着色部が光学的に機能するため、反射光と透過光とに対してそれぞれ独立に光学的に作用し得るカラーフィルタ基板を構成できる。
【手続補正５】
【補正対象書類名】明細書
【補正対象項目名】００２８
【補正方法】変更
【補正の内容】
【００２８】
次に、本発明のさらに別の電気光学装置は、電気光学層と、該電気光学層と平面的に重なる複数色の着色層を備えたカラーフィルタとを有し、光反射部と光透過部とを有し、前記着色層と平面的に重なるように配置され、且つ前記光反射部に設けられた光反射層を有し、前記複数色の着色層のうちの少なくとも一色の前記着色層は、前記光反射層と平面的に重なる領域の一部に形成されており、前記複数色の着色層のうちの一色の前記着色層と同じ材料で構成され、前記着色層上に積層された単層の遮光パターンにより形成された遮光領域を有することを特徴とする